(57)【要約】【課題】  構成な簡単によって接続配管による接続作業の能率向上を図る。【解決手段】  接続配管１は本体２と継手３とからなり、本体２は接続管体４と、この接続管体の外周を被覆する保護管５と、両保護管の両端末部の端末保護キャップ６とを備え、接続管体４の両端部は保護管５の端末部から突出された突出取付け端部４ａであり、両突出取付け端部に継手３の継手本体７が挿入され、挿入状態は突出取付け端部に嵌め込まれている継手のスリーブ９によってかしめにより固定されており、継手の接続用結合部８が対向するヒートポンプユニット及び給湯ユニットの各接続管材に連結可能である。【選択図】        図１
2008180336.tif 000002
【特許請求の範囲】
【請求項１】
本体と、この本体に連結してある継手とからなり、
上記本体は、第１及び第２の配管被接続装置の接続管材間を連結するための接続管体と、この接続管体の外周を被覆する保護管と、両保護管体の両端末部のそれぞれに被せてある端末保護キャップとを備えており、
上記継手は、接続用結合部を有する継手本体とスリーブとを備えており、
上記接続管体の両端部は上記保護管の端末部から突出されて突出取付け端部となっており、両突出取付け端部のうち、少なくとも一方の突出取付け端部に上記継手が取り付けられており、
上記継手本体は軸心部に貫通孔を有し、上記一方の突出取付け端部と互いに嵌め込まれかつ連通状態に結合されており、
上記スリーブは上記一方の突出取付け端部に嵌め込まれて、上記継手本体と上記一方の突出取付け端部との結合状態を補強しており、
上記継手の接続用結合部は、対向するいずれか一方の第１の配管被接続装置の接続管材又は第２の配管被接続装置の接続管材と連結可能である
ことを特徴とする接続配管。
【請求項２】
継手は、接続管体の両突出取付け端部にそれぞれ取り付けられていることを特徴とする請求項１記載の接続配管。
【請求項３】
継手は、接続管体の両突出取付け端部のいずれか一方の突出取付け端部に取り付けられていることを特徴とする請求項１記載の接続配管。
【請求項４】
継手本体は接続管体の突出取付け端部内に挿入されており、スリーブはその内部に突出取付け端部が挿入されていることを特徴とする請求項１乃至請求項３のいずれかに記載の接続配管。
【請求項５】
継手は環状のスリーブストッパを備えており、このスリーブストッパが一端側で継手本体が挿入されかつこの継手本体を係止し、他端側でスリーブの端部が挿入されかつ上記スリーブを係止すると共にこれを受けていることを特徴とする請求項４記載の接続配管。
【請求項６】
保護管が対で構成されていると共に側腹部が互いに軸心方向に沿って隣接状態に接続されていることを特徴とする請求項１乃至請求項５のいずれかに記載の接続配管。
【請求項７】
請求項１記載の接続配管、内側カバー及び外側カバーを備えており、
上記内側カバーは上記接続配管の継手をこれを囲むように被覆可能であり、
上記外側カバーは、端末保護キャップに跨ってこの端末保護キャップ及び上記内側カバーをこれらを囲むように被覆可能であることを特徴とする接続配管ユニット。
【請求項８】
内側カバーは割り溝を形成していると共に、継手と、これに接続するいずれか一方の第１の配管被接続装置の接続管材又は第２の配管被接続装置の接続管材とを囲むように被覆可能であり、外側カバーはヒンジ部とその両側が半円筒状のカバー部とからなる筒状であって、かつ上記ヒンジ部を中心として開閉可能であると共に、上記継手及び端末保護キャップ並びに上記接続管材を被覆可能であることを特徴とする請求項７記載の接続配管ユニット。
【発明の詳細な説明】
【技術分野】
【０００１】
この発明は、建物内外における給水、給湯などのための接続配管及び接続配管ユニットに関するものである。
【背景技術】
【０００２】
例えば特開２００２−２４３２７５号公報及び特開２００６−２３４２４８号公報に記載の各ヒートポンプ式給湯装置において、ヒートポンプユニットと給湯ユニット（後者のヒートポンプ式給湯装置ではタンクユニット）との間は接続配管（前者のヒートポンプ式給湯装置では水配管、後者のヒートポンプ式給湯装置では温水往き管及び温水戻り管）によって連結されている。接続配管の両端部とヒートポンプユニット及び給湯ユニットとを連結する手段としては管継手などの接続装置が使用されている。この接続装置として、例えば特開２００３−３０１９８９号公報に記載の管継手を利用することができる。この管継手は、継手本体、ニップル、スイベルナット及び固定ナットによって構成されている。継手本体は貫通孔の内周面にねじ部を形成し、ニップルは内部に流路を形成してあると共に上記貫通孔内にてねじ止めされ、スイベルナットは内部の貫通孔内にニップルが挿入されており、固定ナットは円筒形状であって内周面に雌ねじ部が形成され、内部にスリーブが装着されている。管継手は、一端側のスイベルナット内に接続管の端部が嵌め込まれ、他端側の固定ナット内に接続配管である管体が挿入される。
接続配管などの配管の外周面は実開平５−７９１９４号公報などに開示されているようにパイプ状の保護部材（断熱又は保温部材）によって被覆して保護されていることが知られている。
【特許文献１】特開２００２−２４３２７５号公報
【特許文献２】特開２００６−２３４２４８号公報
【特許文献３】特開２００３−３０１９８９号公報
【特許文献４】実開平５−７９１９４号公報
【発明の開示】
【発明が解決しようとする課題】
【０００３】
ヒートポンプユニットと給湯ユニットとの間を接続配管によって接続する場合、現場にて接続配管の端部に継手を連結して、当該継手と各ユニットの接続管又はこれに取り付けられている継手とをねじによって結合していた。接続配管による現場での接続作業の能率向上のための接続配管の改良が期待されていた。
この発明の目的は、簡単な構成によって接続配管による接続作業の能率向上を図ることにある。
【課題を解決するための手段】
【０００４】
この発明の第１の特徴は、本体と、この本体に連結してある継手とからなることにある。上記本体は、第１及び第２の配管被接続装置の接続管材間を連結するための接続管体と、この接続管体の外周を被覆する保護管と、両保護管体の両端末部のそれぞれに被せてある端末保護キャップとを備えている。上記継手は、接続用結合部を有する継手本体とスリーブとを備えている。上記接続管体の両端部は上記保護管の端末部から突出されて突出取付け端部となっており、両突出取付け端部のうち、少なくとも一方の突出取付け端部に上記継手が取り付けられている。上記継手本体は軸心部に貫通孔を有し、上記一方の突出取付け端部と互いに嵌め込まれかつ連通状態に結合されている。上記スリーブは上記一方の突出取付け端部に嵌め込まれて、上記継手本体と上記一方の突出取付け端部との結合状態を補強している。上記継手の接続用結合部は、対向するいずれか一方の第１の配管被接続装置の接続管材又は第２の配管被接続装置の接続管材と直接的に又は間接的に連結可能である。
この発明の第２の特徴は、第１の特徴を備えており、継手が接続管体の両突出取付け端部に又は両突出取付け端部のいずれか一方に取り付けられていることにある。
この発明の第３の特徴は、第１の特徴又は第２の特徴を備えており、継手本体が接続管体の突出取付け端部内に挿入されており、スリーブがその内部に突出取付け端部が挿入されていることにある。
この発明の第４の特徴は、第３の特徴を備えており、継手が環状のスリーブストッパを備えており、このスリーブストッパは一端側で継手本体が挿入されかつこの継手本体を係止し、他端側でスリーブの端部が挿入されかつ上記スリーブを係止すると共にこれを受けていることにある。
この発明の第５の特徴は、第１乃至第４のいずれかの特徴を備えており、保護管が対で構成されていると共に側腹部が互いに軸心方向に沿って隣接状態に接続されていることにある。
この発明の接続配管ユニットの第１の特徴は、上記接続配管、内側カバー及び外側カバーを備えていることにある。上記内側カバーは上記接続配管の継手をこれを囲むように被覆可能であり、上記外側カバーは端末保護キャップに跨ってこの端末保護キャップ及び上記内側カバーをこれらを囲むように被覆可能であることにある。
この発明の接続配管ユニットの第２の特徴は、上記内側カバーが割り溝を形成していると共に、上記継手と、これに接続するいずれか一方の第１の配管被接続装置の接続管材又は第２の配管被接続装置の接続管材とを囲むように被覆可能であり、上記外側カバーがヒンジ部とその両側が半円筒状のカバー部とからなる筒状であって、かつ上記ヒンジ部を中心として開閉可能でると共に、上記継手及び端末保護キャップ並びに上記接続管材を被覆可能であることにある。
【発明の効果】
【０００５】
この発明によれば、接続配管の本体の突出取付け端部に継手を取り付けてあるので、現場での継手の連結を省略することができ、簡単な構成によってヒートポンプユニットなどの配管被接続装置との接続作業の能率が向上される。
この発明によれば、接続配管と配管被接続装置との接続部分が内外の両側カバーで被覆可能あるので、接続部分の断熱又は保温を効果的に行える。
【発明を実施するための最良の形態】
【０００６】
この発明に係る接続配管及び接続配管ユニットについて図面を参照して説明する。
図１に示す接続配管１は、本体２と継手３とからなり、図２及び図３に示す接続配管ユニットは、上記接続配管、内側カバー１３及び外側カバー１４によって構成されている。
【０００７】
まず、接続配管１について説明する。
図１に示すように、接続配管１の本体２は接続管体４、保護管５及び端末保護キャップ６を備えている。
図４〜図６に示す接続管体４はプラスチック部材によって形成されている。接続管体４は図６に示す例では３層構造となっており、中間層にアルミ製パイプ４ｂが全長に渡って埋め込まれている。接続管体４は中間層に可塑性を備えているアルミ製パイプが介在されているために、適宜の形状に折り曲げ変形することができる。
接続管体４は、図２及び図３に示すようにその両端部側が第１及び第２の配管被接続装置Ｍ１，Ｍ２にそれぞれ通じる長さを備えており、管体内部を湯、水などの流体が流通することによって給湯管や給水管などとして機能する。
【０００８】
保護管５は、図４、図５及び図７に示すように発泡ポリスチレンなどのプラスチック部材によって軸心に貫通孔５ａを有する丸管状に成形されている。保護管５は、可撓性や断熱性（又は保温性）を有している。
図４及び図５に示すように、保護管５はその貫通孔５ａを接続管体４が貫通しており、接続管体の外周をほぼ全長に亘って保護している。接続管体４の両端部は保護管５の両端面より突出され突出取付け端部４ａを形成している。
保護管５の材質として、例えば耐候性断熱性プラスチックを用いれば、屋外使用であっても長期の耐久性を維持することができる。
【０００９】
端末保護キャップ６は、図４、図５及び図７に示すように保護管５の端末部を保護するために、両端末部に嵌め込まれている。各端末保護キャップ６はプラスチックなどの部材によって碗状に成形されている。端末保護キャップ６の内径は保護管５の端末部の外径より幾分短く設定されており、上記各端末部が圧入状態に差し込まれている。このために、端末保護キャップ６は保護管５の端末部から離脱し難い。
また端末保護キャップ６は図５及び図８に示すようにその側壁に接続管体４を通すための挿入孔６ａを開けてある。挿入孔６ａは挿入される接続管体４の外周面に密着可能に設定されることが望ましい。これは、密着させることにより、雨水などが端末保護キャップ６の挿入孔６ａの内面と接続管体４の外周面との間の隙間から浸み込んで、端末保護キャップ内へ浸入することを抑制することができるからである。
【００１０】
継手３について、図１、図８〜図１１を参照して説明する。
継手３は図１に示すように接続管体４の両側の突出取付け端部４ａにそれぞれ取り付けられている。継手３は、図８及び図９に示すように継手本体７、接続用結合部８、スリーブ９及びスリーブストッパ１０を備えている。
【００１１】
継手本体７について説明すると、図８及び図９に示すように継手本体は筒状に形成され、軸心部の貫通孔７ｄが流体の流路となっている。継手本体７は一端（図８左端）に径方向にかつ外方に突出された環状のフランジ部７ａを形成してある。継手本体７の軸部分の外周にはフランジ部に連続して他端に向けて係止溝７ｂを、そしてこの係止溝に連続して複数の円周溝７ｃを全周に設けてある。複数の円周溝７ｃのうち、一つの円周溝内にシール部材としてＯリング１２を装着してある。
【００１２】
接続用結合部８は、図８〜図１０に示すように袋ナット状に形成されている。接続用結合部８は、内周面入口側（図８左側）に雌ねじ部８ａを設け、出口側に開口８ｂを設けてある。
接続用結合部８は、出口側の開口８ｂを通じて継手本体７の端部に接続されている。
接続状態について説明すると、継手本体７のフランジ部７ａ側に接続用結合部８が配置されている。継手本体７は、フランジ部７ａが接続用結合部８内に配置され、軸部が開口８ｂを貫通している。継手本体７と接続用結合部８とは図９に示すようにボルト状に組み立てられている。継手本体７と接続用結合部８とは互いに軸心を中心として回転可能に接続されている。
接続用結合部８の内部には、フランジ部７ａの入口側（図８左側）の側面に接触するようにリング状のパッキン１１を設けてある。
【００１３】
スリーブ９及びスリーブストッパ１０について説明する。
スリーブ９は、図８及び図９に示すように一端（図９左端）の外周に凹溝状の係止溝９ａを形成してある。スリーブ９は接続管体４の突出取付け端部４ａに嵌め込まれており、嵌め込まれている状態でスリーブは接続管体の外周面にかしめられ、固定されている。図８において、９ｂはかしめ作業によってスリーブ９の外周面に生じた押圧凹部である。
スリーブストッパ１０はプラスチック部材によって図１１に示すように側面形状が環状に形成され、かつスリーブ９側の開口部が拡大されている。スリーブストッパ１０は、スリーブ９側の開口部縁の内周に係合リブ１０ａを設けてあり、接続用結合部８側の開口部縁にも係合リブ１０ｂを設けてある。スリーブストッパ１０は弾性変形可能であって、弾性変形をし易くするために軸心を中心として円周方向に等間隔にスリット１０ｃが開けられている。
スリーブストッパ１０は、図８に示すように一端側の開口部を通じてスリーブ９の一端（左端）に嵌め込まれており、係合リブ１０ａがスリーブ９の係止溝９ａに係止されている。またスリーブストッパ１０は、他端側の開口部を通じて継手本体７の外周に嵌め込まれており、係合リブ１０ｂが継手本体の係止溝７ｂに係止されている。
このように、継手本体７の外周に固定されているスリーブストッパ１０は、一端側の開口部においてスリーブ９の一端を受け止め、スリーブ９の軸心方向の移動を防止している。
【００１４】
継手３と接続管体４との結合関係について図８を参照して説明する。
継手本体７の軸部分は接続管体４の突出取付け端部４ａ内に圧入され、接続管体内と継手本体の貫通孔７ｄとが一本の流路を形成し、この流路が接続用結合部８内のパッキン１１の孔１１ａを介して接続用結合部内に達している。継手本体７は、接続管体４の突出取付け端部４ａから軸部分の複数の円周溝７ｃによって抜けにくく、そしてＯリング１２によって継手本体の軸部分の外周面と接続管体の内周面とが互いに密着されて、接続部分の水漏れを防止している。
【００１５】
次に、接続配管ユニットの構成について図２、図３及び図１２〜図１５に基づいて説明する。
接続配管ユニットは、主要部となる上記接続配管１と、内側カバー１３及び外側カバー１４とによって構成されている。
接続配管１については既に説明しているので、その説明を省略する。
内側カバー１３は、保護管５と同様のプラスチック部材を用い、図１２に示すように内部に孔１３ａを有する筒状に成形されている。内側カバー１３は長さ方向に割り溝１３ｂを設けて、この割り溝を中心として外側に開くことができる。
内側カバー１３は、図２及び図３に示すように継手３の外側をこの継手を囲むように覆うことができる内部空間と長さを備えており、接続配管１の接続管体４が給湯管であれば保温カバーとして、給水管であれば断熱カバーとして機能する。
【００１６】
外側カバー１４について説明する。
図１３〜図１５に示す外側カバー１４はプラスチック部材によって筒状に成形されている。外側カバー１４は長さ方向にヒンジ部１４ａを設けてあり、このヒンジ部の両側が半円筒状のカバー部１４ｂ，１４ｃとなっている。外側カバー１４は使用時（図２及び図３）にヒンジ部１４ａを中心としてカバー部１４ｂ，１４ｃを閉じることによって筒状になり（図１４）、また不使用時にヒンジ部１４ａを中心としてカバー部１４ｂ，１４ｃを開放することによってほぼＭ形になるように成形されている（図１５）。外側カバー１４において、カバー部１４ｂ，１４ｃの互いに接合する自由端側には、両カバー部を結合するための係止部１４ｄと被係止部１４ｅを設けてある。係止部１４ｄは一方のカバー部１４ｂ側に設けてあって、内部に係止孔１４ｄ１を形成している。被係止部１４ｅは他方のカバー部１４ｃ側に設けてあって、先端に係止爪１４ｅ１を有する突片状に形成されている。被係止部１４ｅは係止部１４ｄの係止孔１４ｄ１内に差し込み可能である。図１４に示すように、被係止部１４ｅは係止孔１４ｄ１に差し込まれている状態では係止爪１４ｅ１が係止孔１４ｄ１の縁に係止されるために、カバー部１４ｂ，１４ｃは互いに結合され、筒状になって外側カバー１４が使用状態になる。
外側カバー１４は、図２及び図３に示すように継手３の外側を覆っている内側カバー１３の全体を囲むように被覆すると共に、端末保護キャップ６全体を囲むように覆うことができる。
【００１７】
接続配管及び接続配管ユニットの使用方法について説明する。
まず、図２に示すように、例えばヒートポンプユニットなどの第１の配管被接続装置Ｍ１と、例えば給湯ユニットなどの第２の配管被接続装置Ｍ２との間に接続配管１を配置する。
必要があれば、接続配管１の両端側を折り曲げて、その両端側部の向きを接続管材Ｐ１，Ｐ２（図２）の取り付け位置に合わせる予備作業をする。
ついで、まず接続配管１の例えば図２左側の継手３の接続用結合部８を第１の配管被接続装置Ｍ１の接続管材Ｐ１の先端部に突き合わせてから、工具によって接続用結合部を回しながら接続管材Ｐ１の雄ねじ部Ｐ１ａを接続用結合部内の雌ねじ部８ａにねじ込ませる。図２鎖線に示すように、接続管材Ｐ１の端面が接続用結合部８内のパッキン１１に接触された時点で、接続用結合部の締め付け操作を停止し、接続配管１の片側（図左側）における継手３と第１の配管被接続装置Ｍ１の接続管材Ｐ１との接続作業を終える。接続後、図２鎖線に示すように、割り溝１３ｂを中心として内側カバー１３を外側に開きながら、継手３と第１の配管被接続装置Ｍ１の接続管材Ｐ１との外側を囲むようにして覆い、そして内側カバー１３の外側及び接続管材Ｐ１並びに端末保護キャップ６を抱き込むようにして外側カバー１４で覆って、係止部１４ｄと被係止部１４ｅとを用いてカバー部１４ｂ，１４ｃ間を結合する（図３）。この結果、接続配管１の図２左側の第１の配管被接続装置Ｍ１との接続部分は内側カバー１３によって被覆されて保温又は断熱され、この内側カバーの上側の外側カバー１４によって内側カバーが保護されるから保温又は断熱の効果が向上されると共に、内側カバーの位置が安定しかつ雨水防止に伴う耐久性が増し、また端末保護キャップ６も保護されるからその耐久性が高められ、さらに上記接続部分の外観はすっきりして見栄えが良くなる。
同様にして、接続配管１の図２右側の継手３の接続用結合部８と、第２の配管被接続装置Ｍ２の接続管材Ｐ２との接続作業をして、接続部分を内側カバー１３と外側カバー１４で覆う。
接続時には、接続管材Ｐ２の雄ねじ部Ｐ２ａを継手３の接続用結合部８の雌ねじ部８ａに噛み合わせる（図２）。
【００１８】
図１６に示す接続配管ユニットの使用例において、ヒートポンプユニットＭ１１は第１の配管被接続装置Ｍ１に相当し、給湯ユニットＭ２１は第２の配管被接続装置Ｍ２に相当している。ヒートポンプユニットＭ１１と給湯ユニットＭ２１との間を２本の接続配管１で連結している。両接続配管１の図１６の上下の一方が水又は低温水の戻り配管であり、他方がヒートポンプユニットＭ１１によって加熱された温水の往き配管である。
【００１９】
図１７に示す接続配管の本体２Ａは側腹部側で互いに一体的に成形されている２本の保護管５Ａ１，５Ａ２からなるツインパイプである。保護管５Ａ１，５Ａ２の構成は前記保護管５のそれと同一である。各保護管５Ａ１，５Ａ２の貫通孔５Ａ１ａ，５Ａ２ａ内は接続管体４が貫通されている。
接続配管の本体２Ａはツインパイプであるために、図１６に示す使用例のように、作業現場で接続配管として、戻り配管と往き配管とを別々に敷設する必要がある場合に、同時の作業ができ、またその扱いがし易い利点がある。
接続配管の本体２Ａをツインパイプとするために、図示の例では一体成形としているが、側腹部側を接着剤などによって、側腹部が互いに軸心方向に沿って隣接状態に接続されていれば良い。
【００２０】
接続配管の他の形態について図１８を参照して説明する。
図１８に示す接続配管１Ａは片側のみ継手を取り付けている点を除いて図１に示す接続配管１と同一構成である。このため、図１に用いた符号を接続配管１Ａの説明上そのまま使用して相互の構成部分の対応関係を示している。
接続配管１Ａは本体２の両側の突出取付け端部のうち、図１８左側の突出取付け端部４ａにのみ継手３を固着し、現場にて右側の突出取付け端部４ａ１に公知のメカニカル継手を圧入によるワンタッチ又はねじ回し操作などによって連結可能にしている。
この例では、接続配管１Ａにあっては突出取付け端部４ａ１側を継手３が装着されていないフリーの状態にすることにより、現場での接続作業の適用範囲を広げる。
【００２１】
図１に示す接続配管１によれば、両側の突出取付け端部４ａに継手３を取り付けているので、現場での継手の取付けを省略することができるから接続作業が迅速かつ容易となる。
接続配管１の保護管５の端末部に端末保護キャップ６を嵌め込んであるから、保護管の端末部の損傷を防止でき、そして雨水などが端末保護キャップ内へ浸入しにくくし、カビなどの発生を抑え、保護管の耐久性の向上を図ることができ、また上記端末部の納まりが良くなると共に接続配管と配管被接続装置との接続部分の仕上げ状態の見栄えをきれいに納めることができる。
【００２２】
継手の構成は図示の例に限られない。継手を継手本体７、接続用結合部８及びスリーブ９で構成しても良いが、スリーブストッパを設けることによってスリーブの保持状態が安定する。また継手本体７と接続用結合部８とは図９に示すようにボルト状の組合せに限られない。また例えば接続用結合部８の雌ねじ部８ａに代えて雄ねじ部を設けて、この雄ねじ部に第１及び第２の配管被接続装置Ｍ１，Ｍ２の接続管材Ｐ１，Ｐ２の雄ねじ部Ｐ１ａ，
Ｐ２ａに代わる雌ねじ部を噛み合わせるようにしても良い。
また図３の例では、第１の配管被接続装置Ｍ１の接続管材Ｐ１と継手３の接続用結合部８とが直接結合されているが、両者の間に別構造の継手又はバルブなどの部材を介在させる間接的な結合であっても良い。
【図面の簡単な説明】
【００２３】
【図１】この発明に係る接続配管を示す正面図であって、中間部分を省略している図である。
【図２】この発明に接続配管ユニットを縮小しかつ分解して示す一部切欠正面図である。
【図３】この発明に接続配管における継手、内側カバー及び外側カバーの取り付け状態を拡大して示す一部切欠正面図である。
【図４】この発明に係る接続配管における本体を示す正面図である。
【図５】この発明に係る接続配管における本体を示す縦断面図である。
【図６】図４のＶＩ−ＶＩ線拡大断面図である。
【図７】図４のＶＩＩ−ＶＩＩ線断面図である。
【図８】この発明に係る接続配管における継手の取付け状態を拡大して示す断面図である。
【図９】この発明に係る接続配管における継手を拡大して示す分解図である。
【図１０】図９に示す継手の接続用結合部の左側面図である。
【図１１】図９に示す継手のスリーブストッパの左側面図である。
【図１２】この発明に係る接続配管ユニットにおける内側カバーを示す斜視図である。
【図１３】この発明に係る接続配管ユニットにおける外側カバーを示す底面図である。
【図１４】この発明に係る接続配管ユニットにおける外側カバーを示す側面図である。
【図１５】この発明に係る接続配管ユニットにおける外側カバーを開いた状態を示す側面図である。
【図１６】この発明に係る接続配管ユニットの使用例を示す斜視図である。
【図１７】この発明に係る接続配管の本体の他の形態を示す断面図である。
【図１８】この発明に係る接続配管の他の形態を縮小して示す正面図である。
【符号の説明】
【００２４】
１，１Ａ              接続配管
２，２Ａ              本体
３                    継手
４                    接続管体
４ａ，４ａ１          突出取付け端部
５，５Ａ１，５Ａ２    保護管
６                    端末保護キャップ
７                    継手本体
７ｂ                  係止溝
７ｄ                  貫通孔
８                    接続用結合部
９                    スリーブ
９ａ                  係止溝
１０                  スリーブストッパ
１０ａ，１０ｂ        係合リブ
１３                  内側カバー
１３ｂ                割り溝
１４                  外側カバー
Ｍ１                  第１の配管被接続装置
Ｍ１１                ヒートポンプユニット（第１の配管被接続装置）
Ｍ２                  第２の配管被接続装置
Ｍ２１                給湯ユニット（第２の配管被接続装置）
Ｐ１，Ｐ２            接続管材
【図１】
2008180336.tif 000003
【図２】
2008180336.tif 000004
【図３】
2008180336.tif 000005
【図４】
2008180336.tif 000006
【図５】
2008180336.tif 000007
【図６】
2008180336.tif 000008
【図７】
2008180336.tif 000009
【図８】
2008180336.tif 000010
【図９】
2008180336.tif 000011
【図１０】
2008180336.tif 000012
【図１１】
2008180336.tif 000013
【図１２】
2008180336.tif 000014
【図１３】
2008180336.tif 000015
【図１４】
2008180336.tif 000016
【図１５】
2008180336.tif 000017
【図１６】
2008180336.tif 000018
【図１７】
2008180336.tif 000019
【図１８】
2008180336.tif 000020